(57)【要約】      （修正有）【課題】従来は緩衝機能部材が劣化したときや、性能を越えた揺動を受けたときに、テーブルが安定を欠いた。【解決手段】テーブルの構造材１に制限機能部材４の端部を取り付け、制限機能部材４の他の端部を、他のテーブルの構造材１か、または他の構造体に取り付けて、テーブルの構造材１が所定の範囲を逸脱して揺動しないよう制限することでテーブルの安定を得ることができる。このことから緩衝機能部材２，３の選択が広がり液状化の利用なども可能になる。【選択図】図１
2009167773.tif 000002
【特許請求の範囲】
【請求項１】
施設を設置する格納部において、構造材で強化、形成されたテーブルと、横揺れを緩衝する機能部材、縦揺れを緩衝する機能部材、衝撃を緩衝する機能部材、回動部を備えて移動する機能部材などのいずれか、少なくともひとつの機能部材を備え、形状によって前記テーブルが所定の範囲を逸脱して遊動することを制限する機能部材を備え、前記制限機能部材の少なくともひとつの端部を前記テーブルの構造材に取り付けることを特徴とする格納部。
【発明の詳細な説明】
【技術分野】
【０００１】本発明は建造物、小屋、道路、公園他各種施設を設置する格納部に関する。
【背景技術】
【０００２】従来の格納部は緩衝する機能部材や移動する機能部材が劣化して性能、特性が所与のレベルよりも減衰したときや、揺れや衝撃に対応して機能することができないときに、テーブルが所定の範囲を越えて遊動することとなって安定を欠いた。
【特許文献】特許３７９３７７７号
【発明の開示】
【発明が解決しようとする課題】
【０００３】以上に述べた従来の格納部では安定を欠いているので、従来の構成が有していた問題を解決しようとするものであり、格納部を安定させることを目的とするものである。
【問題を解決するための手段】
【０００４】施設を設置する格納部において、構造材で強化、形成されたテーブルと、横揺れを緩衝する機能部材、縦揺れを緩衝する機能部材、衝撃を緩衝する機能部材、回動部を備えて移動する機能部材などのいずれか、少なくともひとつの機能部材を備え、形状によって前記テーブルが所定の範囲を逸脱して遊動することを制限する機能部材を備え、前記制限機能部材の少なくともひとつの端部を前記テーブルの構造材に取り付ける。
【０００５】本発明におけるテーブルは設置される施設の重量に耐え、また格納部が設営される地域の地層や地質の欠点から受ける影響を減衰させるよう構造材によって強化、形成されている。
構造材は金属、非金属を問わないが、一般的には鉄、強化樹脂などによって柱状、板状の形状をした構造材を用いる。
あるいは弾性に劣るコンクリートなどを鉄、強化樹脂で被覆する。
【０００６】施設を設営するのに適しない沼地、砂地、埋立地などの脆弱な地域や、地震が生じやすい地域において、都市を構成する施設として、ビル、住宅などの建造物や道路、上下水道、電気、通信などの設備を設営する場合に、基礎を安定させるためにテーブルの構造材を対象に、構造材の遊動を制限する必要がある。
【０００７】構造材の遊動は水平方向、垂直方向及び、その合成方向に及ぶので、これらのすべての方向において所定の範囲を逸脱した遊動を制限することが望ましい。
【０００８】縦揺れ、横揺れ、衝撃などを緩衝する緩衝機能部材の性能の限界や劣化によっても、テーブルの構造材の遊動を制限する制限機能部材の形状は変化する。
【０００９】テーブルの構造材の遊動が垂直方向における下方向であるときは、設置された施設の重量に耐える形状に制限機能部材は構成される。
その他の方向に対しては等方向的に対応するよう構成される。
【００１０】テーブルの構造材に所定の範囲での伸縮または変形可能な部材を取り付け遊動を制限するか、または制限機能部材にテーブルの構造材が遊動可能な空間部を構成するなどによって実施される。
【００１１】チェーンまたはワイヤー、強化ゴムなどの端部をテーブルの構造材に取り付け、他の端部を構造材の近傍の他の構造体に取り付ける構成や、テーブルの構造体が所定の範囲内で遊動する空間部を形成した形状の構成に制限機能部材を造作し制限機能部材をテーブルの構造材の近傍の他の構造体に取り付けるなどによって実施する。
【００１２】テーブルの構造材と構造材の近傍の他の構造体に制限機能部材を取り付ける例においては、経年劣化するか否かの特性よりも破断しない素材であることが重要である。
【００１３】金属などの剛性の素材を利用するときは波形の形状やボールベアリングなどの滑動部材、チェーンなどの構成によって変形が可能であり、また復元性を備える構成とするか、あるいはバネを利用することもできる。
【００１４】強化樹脂や強化ゴムを利用するときは、テーブルの規模や施設の重量を計算し、十分な強度を与え、テーブルの構造材と近傍の構造体との取り付け部は強化樹脂、強化ゴムによって形成される接続部の遊動に対応して、そのときに破断しない構成にする必要がある。
接続部の端部は損傷を与えない部材によって包摂する構成が望ましい。
【００１５】接続部の端部を包摂する部材は剛性の素材を利用することが一般的であるが、剛性の部材とテーブルの構造材及び近傍の構造体との接点は滑動部材を使用し、接続部とテーブルの構造材の遊動を自由にする構成にするのが望ましい。
【００１６】テーブルの構造材、または近傍の構造体のいずれか一方の端部を方形、多角形、円または球状に形成し、他の一方の端部は、これらの形状の他の端部が遊動する空間を設け、所定の範囲の中でテーブルの構造材が遊動するように構成する。
これらの端部を剛性の素材で形成する例においては、これらの端部の少なくともひとつは衝撃を緩和する素材で被覆するか、または、これらの端部の間に緩和部材を介在させる構成とする。
【００１７】テーブルが小規模であって、設置される施設が軽量の備蓄庫や小住宅であるときは、テーブルの構造材に制限機能部材の端部を取り付け、他の端部は格納部を構成する構造体に取り付ける。
格納部の重量が不足し安定を欠くときは、他の端部は外部の横造体かまたは地盤に取り付ける。
【００１８】上述の小規模の実施例においては、移動機能を備えることが望ましく、車輪、ボールなどの回動部材を用いる。
格納部の底部に取り付けて、自在に移動可能なものにする。
【００１９】緩衝機能部材としては水、オイル、ゼルなどの液体かまたは液体と粒状のものを混在させたものをゴムなどの袋に充填して利用する。
上述の緩衝機能部材は小袋を複数個入れた大袋を利用して強化することもできる。
【００２０】その他の緩衝機能部材としては発条を使用する。
テーブルと発条を組み合わせることによって、縦揺れと横揺れに同様に効果を得ることもできる。
【００２１】制限機能部材を簡略化する例としてテーブルの構造材に通口部を設け、通口部に金属などで作成される柱状構造材を貫通し、通口部と柱状構造材の間に設けられる空間、または柱状構造材の弾性、あるいは通口部と柱状構造材のいずれかに付加される滑動部材によって、緩衝機能部材の機能によって許容されるテーブルの遊動を阻害しないように構成される。
【００２２】柱状構造材を安定させる為の構造として、柱状構造材を格納部に設ける構造体に固定し、または格納部とは別個に、柱状構造材を構造的に安定させる為の構造部材を付加し、格納部に柱状構造材を設置し、次に緩衝機能部材を置き、柱状構造材がテーブルの通口部を貫通する状態で設定する利用を実施する。
【００２３】格納部とは別個に柱状構造材を安定させるための構造として、垂直に柱状構造材を設け、水平方向に他の構造部材を柱状構造部材に固定的に付加し、さらに強化する例においては、水平方向に複数の構造材を付加し、対角線上に構造材を固定的に付加する。
【００２４】格納部の構成として、底板と側板で構成される部材と、制限機能部材の例としての柱状構造材、および、緩衝機能部材を主とし、これらの部材を順次設置し、その上部にテーブルを含む施設をセットすることもできる。
【００２５】格納部の底板と側板は防水、防錆の処理を施すか、または特性を有する材料で作成する。底板と側板は構造材で強化され、テーブルの機能を果たす構成が望ましい。排水口は任意だが、浸水を防ぐために地面より高い位置に設置する必要がある。ブロックを敷くなど簡易な方法が望ましい。あるいは、長さを調節できる脚部を備える台座を使用してもよい。
【００２６】格納部に設置される施設またはテーブルに、格納部をカバーする構造を与え、または設置後にシートなどを利用して水、塵などの侵入を防ぐ必要がある。
【００２７】柱状構造材は、テーブルが所定の位置から逸脱しないよう上限、下限とされる位置に止め構造を備える。テーブルの通口部よりも大きな形状の止め構造とし、簡易な方法として通口部よりも大きな径のナットなどを用いる。柱状構造材を金属製の丸棒とし、ネジを切ってナットを上限、下限の適当な位置に置く。
【００２８】格納部に設置される施設の内部は、折りタタミ式や脱着可能なベッド、机などの家具を収納し、オプションとしてエアコン、換気扇、照明、通信機器、視聴家電、加熱器具、水などを任意に備える。食料、医薬品などの収納は床下が望ましく、緩衝機能部材の配置によってスペースを造り収納する。ドーナツ状に緩衝機能部材を配置するとバランスがよい。発泡スチロール、ゴムなどをボール状またはチップ状にし、強化袋に入れてブロックにすると取扱いが容易になる。
【００２９】格納部に置かれる施設が小規模の住宅や備蓄庫である例においては、発泡スチロールで形成した床、壁、屋根をレンガ他の石材、金属板、木板、あるいはこれらを模した化粧タイル他の樹脂板やその他の外装材で被覆し、また施設の内面も意匠に優れ、強度を有する化粧版、シートなどで着装することによって断熱効果を備え、軽量でかつ十分な強度をもつものとすることができる。
【００３０】発泡スチロールで形成される施設の例においては、内部に金属、木材、その他強化樹脂などによって、着脱式や折りタタミ式の家具を取り付け可能な支柱、支持板などを造作する。ベッド、デスク、棚その他重量物の負荷のかかるものを上記支柱や支持板に備え、発泡スチロールで形成される躯体から独立させる仕様、設計にすることによって、重量物の負荷を底面に集中させることが可能になる。発泡スチロールは張力に弱いので、張力を受ける部位は補強する。
【００３１】テーブルと緩衝機能部材の効果によって揺動が緩和されているので、そのために躯体を堅牢にしたうえで、これに支柱や支持板を取り付ける必要もなく、また施設全体の重心が底部に集められることによって施設が安定する効果も得られる。
【００３２】支柱や支持板は発泡スチロールで形成される躯体の利用例に限らず、躯体から独立させることが望ましいが、支柱や支持板は相互に支え合う構造にすることが望ましい。
隣接するもの、相対するものを柱、板などで相互に固定し、支持する構成にすることによって安定させることができる。
【００３３】テーブルが大規模であって、都市を設営する例においては、大、中、小と異なる形状のテーブルを重層的に配置して、各種の施設に適した利用をすることが望ましい。
【００３４】砂、砕石、ゴム、発泡スチロール、その他の免震や緩衝の為の各種装置を上述の多様なサイズと形状のテーブルにそれぞれに適したものを付加し、また他の構造体やテーブルの間に介在させる。
【００３５】都市を設営する例においては、最下層のテーブルと自然地盤の間に砂や砕石の層を介在させ、最下層のテーブルには、自然地盤に打入される杭を備えることが望ましい。
砂や砕石に代えて、ゴムや発泡スチロールを使用し、また、液体と粒状材を併用して液状化を応用することもできる。
【００３６】上述の都市を設営する例においては、制限機能部材は、上層のテーブルと下層のテーブルを接続する利用が可能である。
【００３７】都市を構成する施設は多種多様であることから、テーブルの形状は平面、斜面、階段状など、その例において適したデザインにする必要がある。
【００３８】揺れや衝撃から特に保護する必要のある施設から、要求の低い施設まで、緩衝機能部材は任意に選択される。原子力発電所やコンピューターセンターは複数のテーブルの上方に設営することによってよりよく保護させる。
【００３９】複数のテーブルが重層する例において、制限機能部材は各テーブル相互や、さらにテーブルと他の安定した構造体との間に設置されることが望ましい。
【００４０】特殊な実施例では、自然地盤に打入された杭とテーブルを制限機能部材で接続する。
この場合は他のテーブルと、制限機能部材や杭は接触しないよう設計される。
【００４１】隣接するテーブルを制限機能部材で接続し、テーブル相互の関係においても所定の範囲の状態に維持されるようにする。
【発明の効果】
【００４２】上述した本発明の施設格納部は、都市から小屋に至るまでの、あらゆる規模の各種施設が設置されるテーブルが、緩衝や移動のための機能部材の性能が劣化したときや、揺動や衝撃に対応できないときに、テーブルが所定の範囲を越えて遊動し、またはテーブルが所定の範囲の状態から変動し、あるいはテーブル相互の状態が変化しないように、テーブルの状態を制限することができる。
【発明の実施するための最良の形態】
【００４３】以下、本発明の実施の形態を図１〜図３に基づいて説明する。
【００４４】図においては、１はテーブルの構造体、２、３は緩衝機能部材、４は制限機能部材であって、大規模のテーブルを利用した都市や建造物の集合施設を設置する例において実施される。
【００４５】図２は備蓄庫や小住宅５を設置する格納部で、６、７はテーブルの構造体、９、１１は制限機能部材、１０は緩衝部材、８は移動機能部材。
【００４６】図２では、制限機能部材はテーブルの構造体を相互に接続しているが、これは小住宅５が軽量であって、かつ格納部が重量があって安定している例であって、不安定であるときは制限機能部材はテーブルと他の近傍の構造体か、もしくは地盤と接続される。
【００４７】テーブルの構造材に制限機能部材の端部１４を取り付け、他の端部１３は隣接する他のテーブルの構造材か、または近傍の他の構造体に取り付けられ、接続部１２の端部１７、１８は空間１５、１６の中で、所定の範囲内において誘動する。
【００４８】以下、上記構成の動作を説明する。
制限機能部材４、９、１１、と図３例示は格納部を構成するテーブルの構造材に、少なくともひとつの端部を取り付け、その他の端部を他のテーブルの構造材か格納部を構成する他の構造体か、もしくは外部の構造体に取り付けられ、テーブルの構造材が所定の範囲を逸脱して遊動するときに、これを所定の範囲の中に制限する。
【００４９】緩衝機能部材は経年劣化や、性能を越えて揺動を受けたときは、所定の範囲を越えた状態になる可能性があり安定を欠くが、制限機能部材によって制限を受け安定して施設を保護する。
【００５０】特に図３に例示する制限機能部材は素材を鉄や強化樹脂などにして、全方向的に所定の範囲の中に制限する。
【００５１】空間１５、１６の中で制限機能部材の端部１７、１８が遊動し、緩衝機能部材の所定の範囲内での遊動の障碍にはならないが、緩衝機能部材の劣化や、性能を越えた揺動を受けたときは、テーブルの構造材の遊動を制限して、テーブルの状態を所定の範囲の状態で安定させる。
【図面の簡単な説明】
【００５２】
【図１】本発明の実施形態を示す部分断面図
【図２】本発明を小住宅に実施した形態の斜視図
【図３】制限機能部材の例を示す部分断面図
【符号の説明】
【００５３】１．テーブルの構造材
２．緩衝機能部材
３．緩衝機能部材
４．制限機能部材
５．小住宅
６．テーブルの構造材
７．テーブルの構造材
８．移動機能部材
９．制限機能部材
１０．緩衝機能部材
１１．制限機能部材
１２．接続部
１３．端部
１４．端部
１５．空間
１６．空間
１７．接続部の端部
１８．接続部の端部
【図１】
2009167773.tif 000003
【図２】
2009167773.tif 000004
【図３】
2009167773.tif 000005